(57)【要約】【課題】部品点数を削減するとともに、液晶表示板の輝度ムラを低減することが可能な液晶表示装置を提供する。【解決手段】陰極管３の曲管部３ｂは、反射部材２の外側に配置される。また、反射部材２は、陰極管３の直管部３ａの延びる方向に沿って形成された複数の凹形状部２ｂを有する底面反射部２ｃと、陰極管３が挿入される開口部２ｊを有する側面反射部２ｈとを含む。また、底面反射部２ｃの複数の凹形状部２ｂの接続部の頂上２ｉは、互いに隣接する直管部３ａの中央部近傍に配置される。また、反射部材２の開口部２ｊには、陰極管３の直管部３ａが配置されるとともに底面反射部２ｃ側に凹んだ凹状の陰極管装着部２ｋが設けられる。また、保持部材５および６は、反射部材２の開口部２ｊを覆うように取り付けられる。また、枠部２ａは、反射部材２に一体的に形成されている。【選択図】図２
2006012619.tif 000002
【特許請求の範囲】
【請求項１】
実質的に直線形状を有する一対の直管部と一対の前記直管部を接続する曲管部とを含む実質的にコの字形状を有する陰極管と、前記陰極管からの光を反射させるための反射部材と、前記陰極管を保持するための保持部材と、前記陰極管からの光を拡散させるための拡散部材と、前記拡散部材を支持するための枠部材とを備えた液晶表示装置において、
前記陰極管の前記曲管部は、前記反射部材の外側に配置され、
前記反射部材は、前記陰極管の前記直管部の延びる方向に沿って形成された複数の凹形状部を有する底面反射部と、前記陰極管が挿入される開口部を有する側面反射部とを含み、
前記底面反射部の複数の前記凹形状部の接続部の頂上は、互いに隣接する前記直管部の中央部近傍に配置され、
前記反射部材の前記開口部は、前記陰極管の前記直管部が配置されるとともに前記底面反射部側に凹んだ凹状の陰極管装着部を含み、
前記保持部材は、前記反射部材の前記開口部を覆うように取り付けられ、
前記枠部材は、前記反射部材に一体的に形成されている、液晶表示装置。
【請求項２】
実質的に直線形状を有する複数の直管部と、複数の前記直管部を接続する曲管部とを含む陰極管と、
底面反射部と、前記陰極管が挿入される開口部を有する側面反射部とを含む反射部材と、
前記反射部材の前記開口部に取り付けられ、前記陰極管を保持するための保持部材とを備え、
前記陰極管の前記曲管部は、前記反射部材の外側に配置されている、液晶表示装置。
【請求項３】
前記保持部材は、前記反射部材の前記開口部を覆うように取り付けられている、請求項２に記載の液晶表示装置。
【請求項４】
前記陰極管からの光を拡散させるための拡散部材と、
前記拡散部材を支持するための枠部材とをさらに備え、
前記枠部材は、前記反射部材に一体的に形成されている、請求項２または３に記載の液晶表示装置。
【請求項５】
前記反射部材の前記底面反射部は、前記陰極管の前記直管部の延びる方向に沿って形成された複数の凹形状部を含み、
前記底面反射部の複数の前記凹形状部の接続部の頂上は、互いに隣接する前記直管部の中央部近傍に配置されている、請求項２〜４のいずれか１項に記載の液晶表示装置。
【請求項６】
前記反射部材の前記開口部は、前記陰極管の前記直管部が配置されるとともに前記底面反射部側に凹んだ凹状の陰極管装着部を含む、請求項５に記載の液晶表示装置。
【発明の詳細な説明】
【技術分野】
【０００１】
この発明は、液晶表示装置に関し、特に、陰極管を備えた液晶表示装置に関する。
【背景技術】
【０００２】
従来、陰極管を備えた液晶表示装置が知られている（たとえば、特許文献１、特許文献２、特許文献３および特許文献４参照）。
【０００３】
上記特許文献１には、直線形状の陰極管によって液晶表示パネル（液晶表示板）を照射するように構成した液晶表示装置が開示されている。
【０００４】
また、上記特許文献２には、直管部と曲管部とを有するＵ字形状の冷陰極管（陰極管）の直管部および曲管部を、反射機能を有する保持部材（反射部材）の内側に配置することによって、液晶パネル（液晶表示板）を照射するように構成した液晶表示装置が開示されている。
【０００５】
また、上記特許文献３には、直管部と曲管部とを有するＵ字形状の蛍光ランプ（陰極管）の直管部および曲管部を、反射機能を有する反射板（反射部材）の内側に配置することによって、液晶ディスプレイパネル（液晶表示板）を照射するように構成したバックライトユニット（液晶表示装置）が開示されている。
【０００６】
また、上記特許文献４には、直管部と曲管部とを有するＵ形蛍光ランプ（陰極管）の直管部および曲管部を、反射機能を有するランプハウス（反射部材）の内側に配置することによって、液晶表示板を照射するように構成したバックライトユニット（液晶表示装置）が開示されている。
【０００７】
図１４は、従来の一例による液晶表示装置の全体構成を示した分解斜視図である。図１４を参照して、従来の一例による液晶表示装置の構造について説明する。
【０００８】
従来の液晶表示装置は、図１４に示すように、金属製のフレーム１０１と、光を反射させるための平面状の反射板１０２と、実質的に直線形状を有する４本の陰極管１０３と、陰極管１０３の両端部に取り付けられる緩衝部材１０４と、緩衝部材１０４を保持するための保持部材１０５と、保持部材１０５の上部に配置される樹脂製の枠部材１０６と、枠部材１０６に支持される拡散板１０７、拡散シート１０８およびプリズムシート１０９と、陰極管１０３からの光によって画像を表示する液晶表示板１１０と、液晶表示板１１０を枠部材１０６に固定するための固定部材１１１とを備えている。
【０００９】
また、フレーム１０１は、底面１０１ａと４つの側面１０１ｂとを有している。この底面１０１ａの上部には、反射板１０２が配置される。この反射板１０２は、アルミニウム製の平板に反射樹脂をコーティングすることによって、陰極管１０３からの光を液晶表示板１１０に反射するように形成されている。また、反射板１０２の上方には、陰極管１０３が配置される。この陰極管１０３の両端部には、リード線（図示せず）が接続されている。また、陰極管１０３とリード線との接続部には、陰極管１０３およびリード線の接続部と、陰極管１０３とに対する衝撃を緩和するための緩衝部材１０４が取り付けられる。この緩衝部材１０４は、保持部材１０５によって保持される。
【００１０】
また、枠部材１０６は、保持部材１０５を反射板１０２との間に挟み込こむように配置される。また、枠部材１０６には、陰極管１０３からの光が通過するための開口部１０６
ａが設けられている。また、枠部材１０６の上部には、枠部材１０６の開口部１０６ａよりも大きい拡散板１０７および拡散シート１０８が配置される。また、拡散板１０７および拡散シート１０８は、陰極管１０３からの光を液晶表示板１１０側に透過するとともに拡散する機能を有する。また、拡散板１０７および拡散シート１０８の上部には、プリズムシート１０９が配置される。このプリズムシート１０９は、拡散シート１０８からの光を液晶表示板１１０側に透過するとともに、拡散シート１０８からの光を液晶表示板１１０に対して実質的に垂直方向に集光する機能を有する。この液晶表示板１１０は、プリズムシート１０９の上部に配置される。また、液晶表示板１１０は、プリズムシート１０９からの光によって画像を表示するように構成されている。また、固定部材１１１は、液晶表示板１１０を枠部材１０６との間に挟み込むように固定される。
【特許文献１】特開２００２−１９６３２６号公報
【特許文献２】実開平６−３３１３１号公報
【特許文献３】特開平６−２５８６３９号公報
【特許文献４】特開平７−２７２５２１号公報
【発明の開示】
【発明が解決しようとする課題】
【００１１】
図１４に示した従来の液晶表示装置では、陰極管１０３が実質的に直線形状を有しているので、液晶表示板全体を輝度ムラが小さくなるように照射するためには、陰極管の間隔をある程度小さくして配置する必要がある。このため、陰極管の本数が増加するので、部品点数が多くなるという問題点があった。
【００１２】
また、上記特許文献１に開示された構造では、液晶表示板を照射するための陰極管が直線形状を有しているので、図１４に示した従来の液晶表示装置と同様、液晶表示板全体を輝度ムラが小さくなるように照射するためには、陰極管の間隔をある程度小さくして配置する必要がある。このため、図１４に示した従来の液晶表示装置と同様、陰極管の本数が増加するので、部品点数が多くなるという問題点がある。
【００１３】
また、上記特許文献２に開示された構造では、直管部に比べて光の照射密度が大きい直管部と曲管部との連結部の近傍部分を反射部材の内側に配置するので、直管部と、直管部と曲管部との連結部の近傍部分との間で光のムラが大きくなる。このため、液晶表示板に入射する光のムラが大きくなるので、液晶表示板の輝度ムラが大きくなるという問題点がある。
【００１４】
また、上記特許文献３に開示された構造では、上記特許文献２と同様、直管部に比べて光の照射密度が大きい直管部と曲管部との連結部の近傍部分を反射部材の内側に配置するので、直管部と、直管部と曲管部との連結部の近傍部分との間で光のムラが大きくなる。このため、液晶表示板に入射する光のムラが大きくなるので、液晶表示板の輝度ムラが大きくなるという問題点がある。
【００１５】
また、上記特許文献４に開示された構造では、上記特許文献２および上記特許文献３と同様、直管部に比べて光の照射密度が大きい直管部と曲管部との連結部の近傍部分を反射部材の内側に配置するので、直管部と、直管部と曲管部との連結部の近傍部分との間で光のムラが大きくなる。このため、液晶表示板に入射する光のムラが大きくなるので、液晶表示板の輝度ムラが大きくなるという問題点がある。
【００１６】
この発明は、上記のような課題を解決するためになされたものであり、この発明の１つの目的は、部品点数を削減するとともに、液晶表示板の輝度ムラを低減することが可能な液晶表示装置を提供することである。
【課題を解決するための手段及び発明の効果】
【００１７】
この発明の第１の局面による液晶表示装置は、実質的に直線形状を有する一対の直管部と一対の直管部を接続する曲管部とを含む実質的にコの字形状を有する陰極管と、陰極管からの光を反射させるための反射部材と、陰極管を保持するための保持部材と、陰極管からの光を拡散させるための拡散部材と、拡散部材を支持するための枠部材とを備えた液晶表示装置において、陰極管の曲管部は、反射部材の外側に配置され、反射部材は、陰極管の直管部の延びる方向に沿って形成された複数の凹形状部を有する底面反射部と、陰極管が挿入される開口部を有する側面反射部とを含み、底面反射部の複数の凹形状部の接続部の頂上は、互いに隣接する直管部の中央部近傍に配置され、反射部材の開口部は、陰極管の直管部が配置されるとともに底面反射部側に凹んだ凹状の陰極管装着部を含み、保持部材は、反射部材の開口部を覆うように取り付けられ、枠部材は、反射部材に一体的に形成されている。
【００１８】
この第１の局面による液晶表示装置では、上記のように、陰極管を、実質的に直線形状を有する一対の直管部と、一対の直管部を接続する曲管部とを含む実質的にコの字形状に形成することによって、陰極管は、実質的に直線形状を有する直管部を２つ含むので、直線形状の陰極管を用いる場合に比べて、陰極管の本数を半分に削減することができる。これにより、部品点数を削減することができる。また、陰極管の曲管部を反射部材の外側に配置することによって、照射密度が大きい直管部と曲管部との連結部の近傍部分からの光が反射部材の内側に入射するのを抑制することができる。これにより、反射部材の内側の光のムラを低減することができるので、液晶表示板に入射する光のムラを低減することができる。その結果、液晶表示板の輝度ムラを低減することができる。また、保持部材を、反射部材の開口部を覆うように取り付けることによって、照射密度が大きい直管部と曲管部との連結部の近傍部分からの光が反射部材の内側に入射するのをより抑制することができる。これにより、反射部材の内側の光のムラをより低減することができるので、液晶表示板に入射する光のムラをより低減することができる。その結果、液晶表示板の輝度ムラをより低減することができる。また、保持部材を、反射部材の開口部を覆うように取り付けることによって、反射部材の外側から反射部材の内側にごみや埃が侵入するのを抑制することができる。これにより、陰極管の直管部と反射部材とにごみや埃が付着するのを抑制することができるので、ごみや埃の付着に起因して陰極管の照射効率と反射部材の反射効率とが低下するのを抑制することができる。また、枠部材を、反射部材に一体的に形成することによって、拡散部材を支持するための枠部材を別途設ける場合に比べて、部品点数をより削減することができる。また、反射部材の底面反射部に、陰極管の直管部の延びる方向に沿って形成した複数の凹形状部を設けるとともに、底面反射部の複数の凹形状部の接続部の頂上を、互いに隣接する直管部の中央部近傍に配置することによって、陰極管からの光は、凹形状部によって液晶表示板に対して垂直方向に反射しやすくなる。これにより、反射部材の底面反射部の凹形状部から液晶表示板までの距離を小さくすることができるので、効率良く液晶表示板に光を入射させることができる。その結果、液晶表示板の輝度を大きくすることができる。また、陰極管の互いに隣接する直管部の中央部近傍に、陰極管の直管部の延びる方向に沿って形成された凹形状部の接続部の頂上を設けることによって、陰極管からの光を互いに隣接する直管部の中央部近傍の上方の液晶表示板に入射させる場合に、陰極管からの光を下方の平面状の反射板に反射させる場合に比べて、陰極管から液晶表示板までの光路長を小さくすることができる。これにより、陰極管からの光を互いに隣接する直管部の中央部近傍の上方の液晶表示板に効率良く入射させることができるので、互いに隣接する直管部の中央部近傍の上方の液晶表示板の輝度が低下するのを抑制することができる。これにより、液晶表示板の輝度ムラをさらに低減することができる。また、反射部材の開口部に、陰極管の直管部が配置するとともに底面反射部側に凹んだ凹状の陰極管装着部を設けることによって、陰極管を開口部から挿入した後、凹状の陰極管装着部に嵌め込むようにすれば、陰極管の挿入時には、陰極管が底面反射部の凹形状部の接続部の頂上に当接することなく、陰極管の装着後には、陰極管を底面反射部の複数
の凹形状部の接続部の頂上よりも低く配置することができる。
【００１９】
この発明の第２の局面による液晶表示装置は、実質的に直線形状を有する複数の直管部と、複数の直管部を接続する曲管部とを含む陰極管と、底面反射部と、陰極管が挿入される開口部を有する側面反射部とを含む反射部材と、反射部材の開口部に取り付けられ、陰極管を保持するための保持部材とを備え、陰極管の曲管部は、反射部材の外側に配置されている。
【００２０】
この第２の局面による液晶表示装置では、上記のように、陰極管を、実質的に直線形状を有する複数の直管部と、複数の直管部を接続する曲管部とを含むように形成することによって、陰極管は、実質的に直線形状を有する直管部を少なくとも２つ含むので、直線形状の陰極管を用いる場合に比べて、陰極管の本数を削減することができる。これにより、部品点数を削減することができる。また、陰極管の曲管部を反射部材の外側に配置することによって、照射密度が大きい直管部と曲管部との連結部の近傍部分からの光が反射部材の内側に入射するのを抑制することができる。これにより、反射部材の内側の光のムラを低減することができるので、液晶表示板に入射する光のムラを低減することができる。その結果、液晶表示板の輝度ムラを低減することができる。
【００２１】
上記第２の局面による液晶表示装置において、好ましくは、保持部材は、反射部材の開口部を覆うように取り付けられている。このように構成すれば、照射密度が大きい直管部と曲管部との連結部の近傍部分からの光が反射部材の内側に入射するのをより抑制することができる。これにより、反射部材の内側の光のムラをより低減することができるので、液晶表示板に入射する光のムラをより低減することができる。その結果、液晶表示板の輝度ムラをより低減することができる。また、保持部材を、反射部材の開口部を覆うように取り付けることによって、反射部材の外側から反射部材の内側にごみや埃が侵入するのを抑制することができる。これにより、陰極管の直管部と反射部材とにごみや埃が付着するのを抑制することができるので、ごみや埃の付着に起因して陰極管の照射効率と反射部材の反射効率とが低下するのを抑制することができる。
【００２２】
上記第２の局面による液晶表示装置において、好ましくは、陰極管からの光を拡散させるための拡散部材と、拡散部材を支持するための枠部材とをさらに備え、枠部材は、反射部材に一体的に形成されている。このように構成すれば、拡散部材を支持するための枠部材を別途設ける場合に比べて、部品点数をより削減することができる。
【００２３】
上記第２の局面による液晶表示装置において、好ましくは、反射部材の底面反射部は、陰極管の直管部の延びる方向に沿って形成された複数の凹形状部を含み、底面反射部の複数の凹形状部の接続部の頂上は、互いに隣接する直管部の中央部近傍に配置されている。このように構成すれば、陰極管からの光は、凹形状部によって液晶表示板に対して垂直方向に反射しやすくなる。これにより、反射部材の底面反射部の凹形状部から液晶表示板までの距離を小さくすることができるので、効率良く液晶表示板に光を入射させることができる。その結果、液晶表示板の輝度を大きくすることができる。また、陰極管の互いに隣接する直管部の中央部近傍に、陰極管の直管部の延びる方向に沿って形成された凹形状部の接続部の頂上を設けることによって、陰極管からの光を互いに隣接する直管部の中央部近傍の上方の液晶表示板に入射させる場合に、陰極管からの光を下方の平面状の反射板に反射させる場合に比べて、陰極管から液晶表示板までの光路長を小さくすることができる。これにより、陰極管からの光を互いに隣接する直管部の中央部近傍の上方の液晶表示板に効率良く入射させることができるので、互いに隣接する直管部の中央部近傍の上方の液晶表示板の輝度が低下するのを抑制することができる。これにより、液晶表示板の輝度ムラをさらに低減することができる。
【００２４】
上記第２の局面による液晶表示装置において、好ましくは、底面反射部の複数の凹形状部の接続部の頂上は、互いに隣接する直管部の中央部近傍に配置され、反射部材の開口部には、陰極管の直管部が配置されるとともに底面反射部側に凹んだ凹状の陰極管装着部が設けられている。このように構成すれば、陰極管を開口部から挿入した後、凹状の陰極管装着部に嵌め込むことにより、陰極管の挿入時には、陰極管が底面反射部の凹形状部の接続部の頂上に当接することなく、陰極管の装着後には、陰極管を底面反射部の複数の凹形状部の接続部の頂上よりも低く配置することができる。
【発明を実施するための最良の形態】
【００２５】
以下、本発明の実施形態を図面に基づいて説明する。
【００２６】
図１は、本発明の一実施形態による液晶表示装置の全体構成を示した分解斜視図である。図２および図３は、図１に示した一実施形態による陰極管および保持部材の反射部材に対する取付構造を示した図である。図４および図５は、図１に示した一実施形態による保持部材の詳細構造を示した斜視図である。まず、図１〜図５を参照して、本発明の一実施形態による液晶表示装置の構造について説明する。
【００２７】
本発明の一実施形態による液晶表示装置は、図１に示すように、金属製のフレーム１と、光を反射させるための反射部材２と、一対の直管部３ａと一対の直管部３ａを接続する曲管部３ｂとを含む実質的にコの字形状を有する２つの陰極管３と、陰極管３に取り付けられる緩衝部材４と、陰極管３を保持するための保持部材５および６と、反射部材２に支持される拡散板７、拡散シート８およびプリズムシート９と、陰極管３からの光によって画像を表示する液晶表示板１０と、液晶表示板１０を反射部材２に固定するための固定部材１１とを備えている。なお、拡散板７および拡散シート８は、本発明の「拡散部材」の一例である。
【００２８】
また、フレーム１は、底面１ａと４つの側面１ｂとを有している。この底面１ａの上部には、反射部材２が配置される。
【００２９】
ここで、本実施形態では、反射部材２は、アルミニウム製の部材に反射樹脂をコーティングすることによって、陰極管３からの光を液晶表示板１０に反射するように形成されている。また、反射部材２の上部には、拡散板７、拡散シート８およびプリズムシート９を支持する枠部２ａが一体的に形成されている。なお、枠部２ａは、本発明の「枠部材」の一例である。また、反射部材２は、複数の凹形状部２ｂを有する底面反射部２ｃと、４つの側面２ｄ、２ｅ、２ｆおよび２ｇを有する側面反射部２ｈとを含んでいる。側面反射部２ｈの側面２ｄおよび２ｆには、それぞれ、保持部材５および６が取り付けられる。この底面反射部２ｃの複数の凹形状部２ｂは、陰極管３の直管部３ａの延びる方向に沿って形成されている。また、底面反射部２ｃの複数の凹形状部２ｂの接続部の頂上２ｉは、図２に示すように、互いに隣接する直管部３ａの中央部近傍に配置されている。また、側面反射部２ｈの側面２ｄおよび２ｆには、図１に示すように、陰極管３を挿入するための開口部２ｊが設けられている。この開口部２ｊには、図１および図３に示すように、陰極管３の直管部３ａが配置されるとともに底面反射部２ｃ側に凹んだ凹状の陰極管装着部２ｋが設けられている。また、反射部材２の外側には、図１に示すように、保持部材５および６を固定するためのネジ穴を有する雌ネジ部２ｌが設けられている。
【００３０】
また、陰極管３は、図３に示すように、側面反射部２ｈの側面２ｄおよび２ｆの開口部２ｊに挿入されている。また、陰極管３の直管部３ａは、実質的に直線形状を有している。また、陰極管３の直管部３ａの端部は、反射部材２の側面２ｄの外側に配置されている。また、陰極管３の直管部３ａの端部には、リード線（図示せず）が接続されている。また、陰極管３の直管部３ａの端部とリード線との接続部には、陰極管３およびリード線の
接続部と、陰極管３とに対する衝撃を緩和するための緩衝部材４が取り付けられている。この緩衝部材４は、保持部材５によって保持されている。この保持部材５は、図４に示すように、緩衝部材保持部５ａと、挿入部５ｂと、当接面５ｃと、ネジ止め部５ｄとを有している。この緩衝部材保持部５ａは、図３に示すように、緩衝部材４を保持するように形成されている。また、挿入部５ｂは、反射部材２の側面２ｄの開口部２ｊに挿入することによって、開口部２ｊを塞ぐように形成されている。また、挿入部５ｂの表面には、反射樹脂がコーティングされている。これにより、挿入部５ｂによっても陰極管３からの光を液晶表示板１０（図１参照）に反射させることができるので、光の反射効率を向上させることが可能になる。また、当接面５ｃは、反射部材２の側面２ｄの外側に当接することによって、反射部材２の側面２ｄの開口部２ｊを覆うように形成されている。また、ネジ止め部５ｄは、図１に示すように、ネジ２０によって雌ネジ部２ｌに固定されるように形成されている。
【００３１】
また、本実施形態では、陰極管３の曲管部３ｂは、図２および図３に示すように、反射部材２の側面２ｆの外側に配置されている。また、陰極管３の曲管部３ｂは、保持部材６によって保持されている。この保持部材６は、図５に示すように、曲管部保持部６ａと、挿入部６ｂと、当接面６ｃと、ネジ止め部６ｄとを有している。この曲管部保持部６ａは、図３に示すように、陰極管３の曲管部３ｂを保持するように形成されている。また、挿入部６ｂは、反射部材２の側面２ｆの開口部２ｊに挿入することによって、開口部２ｊを塞ぐように形成されている。これにより、陰極管３からの光が、反射部材２の外側に漏れるのを抑制することができる。また、挿入部６ｂの表面には、反射樹脂がコーティングされている。これにより、挿入部６ｂによっても陰極管３からの光を液晶表示板１０（図１参照）に反射させることができるので、光の反射効率を向上させることが可能になる。また、当接面６ｃは、反射部材２の側面２ｆの外側に当接することによって、反射部材２の側面２ｆの開口部２ｊを覆うように形成されている。また、ネジ止め部６ｄは、図１に示すように、ネジ２０によって雌ネジ部２ｌに固定されるように形成されている。
【００３２】
また、反射部材２の枠部２ａの上部には、反射部材２の枠部２ａよりも大きい拡散板７および拡散シート８が配置される。この拡散板７および拡散シート８は、陰極管３からの光を液晶表示板１０側に透過するとともに拡散する機能を有する。これにより、液晶表示板１０に対する光の照射ムラを低減することができる。また、拡散板７および拡散シート８の上部には、プリズムシート９が配置される。このプリズムシート９は、拡散シート８からの光を液晶表示板１０側に透過するとともに、拡散シート８からの光を液晶表示板１０に対して実質的に垂直方向に集光する機能を有する。これにより、液晶表示板１０の輝度を大きくすることが可能になる。この液晶表示板１０は、プリズムシート９の上部に配置される。また、液晶表示板１０は、プリズムシート９からの光によって画像を表示するように構成されている。また、固定部材１１は、液晶表示板１０を反射部材２との間に挟み込むように固定される。
【００３３】
図６〜図１２は、図１に示した一実施形態による陰極管と保持部材との反射部材に対する組立工程を説明するための図である。次に、図２、図３および図６〜図１２を参照して、本発明の一実施形態による陰極管３と保持部材５および６の反射部材２に対する組立工程を説明する。まず、図６に示すように、陰極管３の曲管部３ｂを、反射部材２の側面２ｄから側面２ｆに向かって反射部材２の開口部２ｊに挿入する。このとき、陰極管３の曲管部３ｂを、反射部材２の側面２ｆの開口部２ｊの外側に出るまで移動させる。これにより、陰極管３は、図７に示す状態になる。次に、陰極管３を、図７に示す状態から反射部材２の側面２ｄ（図６参照）および２ｆの開口部２ｊの凹状の陰極管装着部２ｋに嵌め込むことによって、陰極管３は、図８に示す状態になる。このとき、陰極管３は、図１０に示すように、底面反射部２ｃの凹形状部２ｂの接続部の頂上２ｉよりも低い位置に配置されている。そして、保持部材６を、図９および図１０に示す状態からネジ２０によって反
射部材２の側面２ｆの雌ネジ部２ｌに固定する。この後、保持部材５を、図１１および図１２に示す状態からネジ２０によって反射部材２の雌ネジ部２ｌに固定する。これにより、図２および図３の状態になり、陰極管３と保持部材５および６との反射部材２に対する組み立てが完了する。
【００３４】
本実施形態では、上記のように、陰極管３を、実質的に直線形状を有する一対の直管部３ａと、一対の直管部３ａを接続する曲管部３ｂとを含む実質的にコの字形状に形成することによって、陰極管３は、実質的に直線形状を有する直管部３ａを２つ含むので、直線形状の陰極管３を用いる場合に比べて、陰極管３の本数を半分に削減することができる。これにより、部品点数を削減することができる。また、陰極管３の曲管部３ｂを反射部材２の外側に配置することによって、照射密度が大きい直管部３ａと曲管部３ｂとの連結部の近傍部分からの光が反射部材２の内側に入射するのを抑制することができる。これにより、反射部材２の内側の光のムラを低減することができるので、液晶表示板１０に入射する光のムラを低減することができる。その結果、液晶表示板１０の輝度ムラを低減することができる。
【００３５】
また、本実施形態では、保持部材６を、反射部材２の開口部２ｊを覆うように取り付けることによって、照射密度が大きい直管部３ａと曲管部３ｂとの連結部の近傍部分からの光が反射部材２の内側に入射するのをより抑制することができる。これにより、反射部材２の内側の光のムラをより低減することができるので、液晶表示板１０に入射する光のムラをより低減することができる。その結果、液晶表示板１０の輝度ムラをより低減することができる。また、保持部材５および６を、反射部材２の開口部２ｊを覆うように取り付けることによって、反射部材２の外側から反射部材２の内側にごみや埃が侵入するのを抑制することができる。これにより、陰極管３の直管部３ａと反射部材２とにごみや埃が付着するのを抑制することができるので、ごみや埃に起因して陰極管３の照射効率と反射部材２の反射効率とが低下するのを抑制することができる。
【００３６】
また、本実施形態では、枠部２ａ材を、反射部材２に一体的に形成することによって、拡散板７および拡散シート８を支持するための枠部２ａ材を別途設ける場合に比べて、部品点数をより削減することができる。
【００３７】
また、本実施形態では、反射部材２の底面反射部２ｃに、陰極管３の直管部３ａの延びる方向に沿って形成した複数の凹形状部２ｂを設けるとともに、底面反射部２ｃの複数の凹形状部２ｂの接続部の頂上２ｉを、互いに隣接する直管部３ａの中央部近傍に配置することによって、陰極管３からの光は、凹形状部２ｂによって液晶表示板１０に対して垂直方向に反射しやすくなる。これにより、反射部材２の底面反射部２ｃの凹形状部２ｂから液晶表示板１０までの距離を小さくすることができるので、効率良く液晶表示板１０に光を入射させることができる。その結果、液晶表示板１０の輝度を大きくすることができる。また、陰極管３の互いに隣接する直管部３ａの中央部近傍に、陰極管３の直管部３ａの延びる方向に沿って形成された凹形状部２ｂの接続部の頂上２ｉを設けることによって、陰極管３からの光を互いに隣接する直管部３ａの中央部近傍の上方の液晶表示板１０に入射させる場合に、陰極管３からの光を下方の平面状の反射板に反射させる場合に比べて、陰極管３から液晶表示板１０までの光路長を小さくすることができる。これにより、陰極管３からの光を互いに隣接する直管部３ａの中央部近傍の上方の液晶表示板１０に効率良く入射させることができるので、互いに隣接する直管部３ａの中央部近傍の上方の液晶表示板１０の輝度が低下するのを抑制することができる。これにより、液晶表示板１０の輝度ムラをさらに低減することができる。
【００３８】
また、本実施形態では、反射部材２の開口部２ｊに、陰極管３の直管部３ａが配置するとともに底面反射部２ｃ側に凹んだ凹状の陰極管装着部２ｋを設けることによって、陰極
管３を開口部２ｊから挿入した後、凹状の陰極間装着部２ｋに嵌め込むようにすれば、陰極間３の挿入時には、陰極管３が底面反射部２ｃの凹形状部２ｂの接続部の頂上２ｉに当接することなく、陰極管３の装着後には、陰極管３を底面反射部２ｃの複数の凹形状部２ｂの接続部の頂上２ｉよりも低く配置することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の陰極管の一例として、一対の直管部と一対の直管部を接続する曲管部とを含む実質的にコの字形状の陰極管を示したが、本発明はこれに限らず、陰極管に直管部を３つ以上設けるとともに曲管部を２つ以上設けてもよい。
【００４１】
また、上記実施形態では、反射部材の開口部を覆うように保持部材を取り付けた例を示したが、本発明はこれに限らず、陰極管の曲管部を反射部の外側に配置していれば、反射部材の開口部を保持部材によって覆わなくてもよい。
【００４２】
また、上記実施形態では、反射部材の底面反射部に複数の凹形状部を形成した例を示したが、本発明はこれに限らず、反射部材の底面反射部を平面状に形成してもよい。
【００４３】
また、上記実施形態では、緩衝部材を設けずに、保持部材６によって陰極管３の曲管部３ｂを保持した例を示したが、本発明はこれに限らず、図１３に示した保持部材１６のように、緩衝部材として機能する曲管部緩衝保持部１６ａを、保持部材１６に一体的に設けてもよい。この場合、少なくとも曲管部緩衝保持部１６ａは、樹脂またはゴムからなることが好ましい。また、この保持部材１６には、挿入部１６ｂと、当接面１６ｃと、ネジ止め部１６ｄとがさらに形成されている。そして、挿入部１６ｂは、反射部材の側面の開口部に挿入するように形成されている。また、当接面１６ｃは、反射部材の側面の外側に当接することによって、反射部材の側面の開口部を覆うように形成されている。また、ネジ止め部１６ｄは、ネジによって雌ネジ部に固定されるように形成されている。なお、緩衝部材を、保持部材と別体で設けてもよい。
【図面の簡単な説明】
【００４４】
【図１】本発明の一実施形態による液晶表示装置の全体構成を示した分解斜視図である。
【図２】図１に示した一実施形態による陰極管および保持部材の反射部材に対する取付構造を示した斜視図である。
【図３】図１に示した一実施形態による陰極管および保持部材の反射部材に対する取付構造を示した断面図である。
【図４】図１に示した一実施形態による保持部材の詳細構造を示した斜視図である。
【図５】図１に示した一実施形態による保持部材の詳細構造を示した斜視図である。
【図６】図１に示した一実施形態による陰極管の反射部材に対する組立工程を説明するための斜視図である。
【図７】図１に示した一実施形態による陰極管の反射部材に対する組立工程を説明するための正面図である。
【図８】図１に示した一実施形態による陰極管の反射部材に対する組立工程を説明するための正面図である。
【図９】図１に示した一実施形態による保持部材の反射部材に対する組立工程を説明するための斜視図である。
【図１０】図１に示した一実施形態による保持部材の反射部材に対する組立工程を説明するための断面図である。
【図１１】図１に示した一実施形態による保持部材の反射部材に対する組立工程を説明するための斜視図である。
【図１２】図１に示した一実施形態による保持部材の反射部材に対する組立工程を説明するための断面図である。
【図１３】本発明の一実施形態の変形例による保持部材の詳細構造を示した斜視図である。
【図１４】従来の一例による液晶表示装置の全体構成を示した分解斜視図である。
【符号の説明】
【００４５】
２  反射部材
２ａ  枠部（枠部材）
２ｂ  凹形状部
２ｃ  底面反射部
２ｈ  側面反射部
２ｉ  頂上
２ｊ  開口部
２ｋ  陰極管装着部
３  陰極管
３ａ  直管部
３ｂ  曲管部
５  保持部材
６  保持部材
７  拡散板（拡散部材）
８  拡散シート（拡散部材）
【図１】
2006012619.tif 000003
【図２】
2006012619.tif 000004
【図３】
2006012619.tif 000005
【図４】
2006012619.tif 000006
【図５】
2006012619.tif 000007
【図６】
2006012619.tif 000008
【図７】
2006012619.tif 000009
【図８】
2006012619.tif 000010
【図９】
2006012619.tif 000011
【図１０】
2006012619.tif 000012
【図１１】
2006012619.tif 000013
【図１２】
2006012619.tif 000014
【図１３】
2006012619.tif 000015
【図１４】
2006012619.tif 000016